(57)【特許請求の範囲】
【請求項１】
建屋の上階側の建屋梁の受台と、下階側の建屋梁の受台の間に掛け渡されて設置されるエスカレータのトラスと、
前記トラスの上下両端部にそれぞれ設けられ、前記各受台に載置される支持アングルと、
一方の前記支持アングルを貫通し、前記トラスの前後方向に沿って所定間隔毎に複数開口し、かつ、前記受台の上面が目視できる測定穴と、
を有するエスカレータ。
【請求項２】
前記測定穴が、一、又は、複数個ずつ前記支持アングルの左右方向にずらして開口している、
請求項１に記載のエスカレータ。
【請求項３】
前記支持アングルが、カバーで覆われている、
請求項１又は２に記載のエスカレータ。
【請求項４】
前記支持アングルが載置される前記受台の前記上面に、蓄光塗料が塗布されている、
請求項１乃至３のいずれか一項に記載のエスカレータ。
【請求項５】
前記支持アングルに、前記測定穴に沿って目盛りが設けられている、
請求項１乃至４のいずれか一項に記載のエスカレータ。
【請求項６】
前記測定穴が、丸穴、長穴、楕円穴、又は、角穴である、
請求項１乃至５のいずれか一項に記載のエスカレータ。
【請求項７】
前記測定穴を有する前記支持アングルが、前記トラスの前記上階側に設けられている、
請求項１乃至６のいずれか一項に記載のエスカレータ。
【発明の詳細な説明】
【技術分野】
【０００１】
本実施形態は、エスカレータに関するものである。
【背景技術】
【０００２】
エスカレータは、建屋の上階側の建屋梁の受台と、下階側の建屋梁の受台の間に据え付けられているトラスを有している。このトラスは、耐震構造のために、上階又は下階のどちらか一方のトラスの支持アングルが、建屋梁の受台に溶接などで固定され、他端は地震の揺れを吸収するために非固定となっている。
【先行技術文献】
【特許文献】
【０００３】
【特許文献１】特開平５−２９４５９０号公報
【特許文献２】特開２００７−２９０７８５号公報
【発明の概要】
【発明が解決しようとする課題】
【０００４】
昇降機耐震設計の施行指針によると、非固定側のトラスの支持アングルが、建屋梁の受台に重なって載っている部分の長さは、地震の揺れによるトラスの落下を防止するために充分長くなければならないと記載されている。なお、この重なり部分のことを「かかり代」と呼ぶ。
【０００５】
したがって、エスカレータの新規設置時に、このかかり代を管理することや、大きな地震が起きた後に、このかかり代を点検することは非常に重要となっている。特に、このかかり代の大きさは、昇降機耐震設計の施行指針で規定されており、階高に依存して大きくなっている。
【０００６】
しかしながら、このかかり代は、据え付け現場の環境にもよるが、通常真上から見ただけでは容易に測定できないことが多く、また、モルタルでこの支持アングルの部分を覆い床を仕上げてしまうと、その床を解体しないかぎりは確認ができないという問題点があった。
【０００７】
そこで、本実施形態は上記問題点に鑑み、トラスの支持アングルのかかり代を容易に確認できるエスカレータを提供することを目的とする。
【課題を解決するための手段】
【０００８】
本実施形態は、建屋の上階側の建屋梁の受台と、下階側の建屋梁の受台の間に掛け渡されて設置されるエスカレータのトラスと、前記トラスの上下両端部にそれぞれ設けられ、前記各受台に載置される支持アングルと、一方の前記支持アングルを貫通し、前記トラスの前後方向に沿って所定間隔毎に複数開口し、かつ、前記受台の上面が目視できる測定穴と、を有するエスカレータである。
【図面の簡単な説明】
【０００９】
【図１】一実施形態のエスカレータの全体図である。
【図２】上階側の受台に支持アングルを載置した状態の側面図である。
【図３】同じくカバーを被せた状態の側面図である。
【図４】同じく支持アングルの平面図である。
【発明を実施するための形態】
【００１０】
以下、本実施形態のエスカレータ１０について、図１〜図４に基づいて説明する。
【００１１】
（１）エスカレータ１０の構造
エスカレータ１０の全体の構造について図１に基づいて説明する。
【００１２】
エスカレータ１０のトラス１２は、建屋１の上階側の建屋梁４に設置された受台２と下階側の建屋梁５に設置された受台３との間に架け渡されている。トラス１２は、上階側の水平トラス１４、傾斜トラス１６、下階側の水平トラス１８とよりなる。上階側の水平トラス１４の内部は、機械室２０である。機械室２０内部には、エスカレータ１０を駆動させる不図示の踏段駆動機構が設けられている。また、傾斜トラス１６には、無端状の踏段チェーンによって駆動する踏段２２が設けられ、前記した踏段駆動機構によって上側又は下側に移動する。
【００１３】
トラス１２の上面両側には、左右一対の欄干２４が設けられ、欄干２４には、踏段２２と同期して移動する手摺ベルト２６が設けられている。
【００１４】
上階側の水平トラス１４の端部には、上階側の支持アングル２８が設けられ、上階側の受台２に、高さを調整する複数枚の調整板４０を介して載置されている。上階側の支持アングル２８については後から詳しく説明する。
【００１５】
下階側の水平トラス１８の端部には、下階側の支持アングル３０が設けられ、下階側の受台３に、高さを調整する複数枚の調整板３２を介して載置され、下階側の受台３に溶接して固定されている。また、この下階側の支持アングル３０の位置決めのために下階側の受台３には、Ｌ字状に折曲された位置決め板３４が設けられている。
【００１６】
（２）上階側の支持アングル２８
次に、上階側の支持アングル２８について図２〜図４に基づいて説明する。
【００１７】
上階側の支持アングル２８は、水平な状態の載置板３６と、この載置板３６から下方に屈曲された固定板３８とより構成され、固定板３８が、上階側の水平トラス１４の端部にボルトなどによって固定されている。載置板３６は、高さの調整を行う複数枚の調整板４０を介して上階側の受台２に載置されている。但し、この載置板３６は、受台２に対し固定されておらず、昇降機耐震設計の施行指針に規定されているかかり代Ｌの長さだけ、受台３と重なるように載置されている。
【００１８】
図４に示すように、載置板３６には、複数個の測定穴４２が開口している。この複数個の測定穴４２は、トラス１２の前後方向に沿って所定間隔毎に複数設けられ、かつ、一又は複数個毎に左右方向にずれて設けられている。この測定穴４２は丸穴であって、図２に示すように、作業員が上から覗き込んだ場合に、内部に受台２の上面が見えるような大きさに設定されている。すなわち、複数の測定穴４２は、トラス１２の前後方向に沿って一直線上に設けられているのでなく、左右方向にばらつきを持って設けられている。これは、支持アングル２８の強度を維持するためである。なお、複数の測定穴４２が支持アングル２８の載置板３６を貫通する位置は、調整板４０以外の位置に設けられている。
【００１９】
図４に示すように、この前後方向に設けられた複数の測定穴４２に沿って、目盛り５０が設けられている。この目盛り５０は、受台２の位置を確認するための参考に用いるものである。
【００２０】
支持アングル２８が載置される受台２の上面には、暗い中でも光を当てることによって自ら発光する蓄光塗料が塗布されている。
【００２１】
図３に示すように、上階側の載置板３６の上方には、着脱自在のカバー４４が設けられ、エスカレータ１０の乗降板４６と、上階側の床４８とが同一面上になるように構成されている。
【００２２】
（３）上階側の支持アングル２８ののかかり代Ｌの点検方法
エスカレータ１０が新規に設置された場合、又は、大きな地震が起きた後の、上階側の支持アングル２８のかかり代Ｌを点検する方法について説明する。
【００２３】
まず、作業者が、図３に示すカバー４４を取り外す。
【００２４】
次に、図２に示すように、作業者が、上階側の支持アングル２８の載置板３６を上から覗き込み、載置板３６に開口した複数の測定穴４２に懐中電灯によって光を当てる。光が当たると、上階側の受台２に塗布されている蓄光塗料が発光し、図４に示すように、受台２の端部を上から確認できる。そして、作業者は、横にある目盛り５０及び測定穴４２から覗き込んだ受台２の端部の位置を比較して、かかり代Ｌが規定されている長さになっているか否かを点検する。
【００２５】
次に、作業者は、かかり代Ｌが規定されている長さを満足している場合には、再びカバー４４を被せて、エスカレータ１０の使用を続ける。
【００２６】
（４）効果
以上により本実施形態のエスカレータ１０であると、作業者が測定穴４２を覗き込むことによって、規定されたかかり代Ｌを満足しているか否かを確認できる。また、目盛り５０を設けているため、より正確にかかり代Ｌを測定できる。
【００２７】
また、従来のように支持アングル２８の載置板３６の上にモルタルを塗って、床を形成しているのでなく、カバー４４を被せているだけであるため、カバー４４を外すだけで、かかり代Ｌを点検できる。
【００２８】
また、受台２の上面に蓄光塗料を塗布しているため、明るい部分から暗い部分を覗き込むようになっても、測定穴４２の中を容易に確認できる。すなわち、蓄光塗料の光が見える場合には受台２が有り、見えない場合にはその測定穴４２の下には受台２が無いと判断できる。
【００２９】
また、複数の測定穴４２を、一直線上に設けていないため、支持アングル２８の強度を維持できる。
【００３０】
（５）変更例
次に、上記実施形態の変更例について説明する。
【００３１】
上記実施形態では測定穴４２は、丸穴であったがこれに限らず、長穴、楕円穴、角穴でもよい。
【００３２】
また、上記実施形態では目盛り５０を設けたが、目盛り５０を設けず、受台２の端部が見える測定穴４２の位置によって、かかり代Ｌの長さを判断してもよい。
【００３３】
また、上記実施形態では複数の測定穴４２を、２個、２個、２個及び１個の割合で開口させたが、これに限らず左右方向にずれるようにすれば、この数に限らない。
【００３４】
また、上記実施形態では、上階側は非固定、下階側が固定であったが、反対に上階側は固定、下階側が非固定であってもよい。この場合には、測定穴４２は、下階側の支持アングル３０に設ける。
【００３５】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１・・・建屋、２・・・受台、３・・・受台、１０・・・エスカレータ、１２・・・トラス、２８・・・支持アングル、３６・・・載置板、４２・・・測定穴、４４・・・カバー、５０・・・目盛り
【図１】
0005474123.tif 000002
【図２】
0005474123.tif 000003
【図３】
0005474123.tif 000004
【図４】
0005474123.tif 000005